(57)【要約】【課題】本発明は、ユーザの使い勝手を一層向上し得る撮像装置及び記録方法を実現するものである。【解決手段】予め設定された複数種類の撮影状況のうち、選択された撮影状況に応じてディレクトリを作成し、被写体の撮影結果として得られる画像データを、選択された撮影状況に応じたディレクトリに割り当てて、選択された撮影状況に対応する識別情報を画像データに付加した後、識別情報が付加された画像データを、指定された少なくとも１以上のアプリケーションに関連付けるように当該アプリケーションを表すアプリケーションプログラムと共に記憶するようにした。【選択図】        図６
2004179881.tif 000002
【特許請求の範囲】
【請求項１】
被写体を撮影する撮影手段と、
予め設定された複数種類の撮影状況のうち、選択された上記撮影状況に応じてディレクトリを作成するディレクトリ作成手段と、
上記撮影手段の撮影結果として得られる画像データを、上記選択された撮影状況に応じた上記ディレクトリに割り当てる割当手段と、
上記選択された撮影状況に対応する識別情報を上記画像データに付加する付加手段と、
上記識別情報が付加された画像データを、指定された少なくとも１以上のアプリケーションに関連付けるように当該アプリケーションを表すアプリケーションプログラムと共に記憶する記憶手段と
を具えることを特徴とする撮像装置。
【請求項２】
上記割当手段は、
所望の上記撮影状況が選択された状態にあるとき、上記撮影手段の撮影結果として順次得られる画像データを全て、当該撮影状況に応じた上記ディレクトリに割り当てる
ことを特徴とする請求項１に記載の撮像装置。
【請求項３】
上記少なくとも１以上のアプリケーションは、全ての上記撮影状況が選択された後で、当該選択された各上記撮影状況に対応するものを選択対象とする
ことを特徴とする請求項１に記載の撮像装置。
【請求項４】
上記複数種類の撮影状況から所望の上記撮影状況を選択する選択手段と、
上記選択手段の選択動作に同期して順次選択中の上記撮影状況に応じたマーク及び又は文字を表示する表示手段と
を具えることを特徴とする請求項１に記載の撮像装置。
【請求項５】
上記付加手段は、
上記撮影手段の撮影時刻を表す時間情報と、上記画像データに基づく画像に対する設定条件を表す画像記録情報とを、上記識別情報と共に上記画像データに付加する
ことを特徴とする請求項１に記載の撮像装置。
【請求項６】
上記付加手段は、
上記撮影手段の撮影場所を表す位置情報と、上記画像データに基づく画像に対する設定条件を表す画像記録情報とを、上記識別情報と共に上記画像データに付加する
ことを特徴とする請求項１に記載の撮像装置。
【請求項７】
予め設定された複数種類の撮影状況のうち、選択された上記撮影状況に応じてディレクトリを作成する第１のステップと、
被写体の撮影結果として得られる画像データを、上記選択された撮影状況に応じた上記ディレクトリに割り当てる第２のステップと、
上記選択された撮影状況に対応する識別情報を上記画像データに付加する第３のステップと、
上記識別情報が付加された画像データを、指定された少なくとも１以上のアプリケーションに関連付けるように当該アプリケーションを表すアプリケーションプログラムと共に記憶する第４のステップと
を具えることを特徴とする記録方法。
【請求項８】
上記第２のステップでは、
所望の上記撮影状況が選択された状態にあるとき、上記撮影結果として順次得られる画像データを全て、当該撮影状況に応じた上記ディレクトリに割り当てる
ことを特徴とする請求項７に記載の記録方法。
【請求項９】
上記第４のステップでは、
上記少なくとも１以上のアプリケーションは、全ての上記撮影状況が選択された後で、当該選択された各上記撮影状況に対応するものを選択対象とする
ことを特徴とする請求項７に記載の記録方法。
【請求項１０】
上記第１のステップでは、
上記複数種類の撮影状況から所望の上記撮影状況を選択する際に、順次選択中の上記撮影状況に応じたマーク及び又は文字を表示する
ことを特徴とする請求項７に記載の記録方法。
【請求項１１】
上記第３のステップでは、
撮影時刻を表す時間情報と、上記画像データに基づく画像に対する設定条件を表す画像記録情報とを、上記識別情報と共に上記画像データに付加する
ことを特徴とする請求項７に記載の記録方法。
【請求項１２】
上記第３のステップでは、
撮影場所を表す位置情報と、上記画像データに基づく画像に対する設定条件を表す画像記録情報とを、上記識別情報と共に上記画像データに付加する
ことを特徴とする請求項７に記載の記録方法。
【発明の詳細な説明】
【０００１】
【発明の属する技術分野】
本発明は撮像装置及び記録方法に関し、例えば撮像素子によって撮像された画像を記録媒体に記録するディジタルカメラに適用して好適なものである。
【０００２】
【従来の技術】
従来、この種のディジタルカメラにおいては、ＣＣＤに結像された映像を複数の静止画像としてメモリカードに記録しておき、必要に応じて当該メモリカードから所望の静止画像を選択的に読み出して、カメラ本体に設けられたＬＣＤや、外部接続された家庭用のテレビジョンやパーソナルコンピュータのモニタ等に表示するようになされている。
【０００３】
このようなディジタルカメラでは、一般的に、撮像した被写体の画像を表す画像データは、撮影モードに応じたファイルごとに、撮影した順番を表す通し番号や撮影日時等に基づいてまとめてメモリカードに記録されるようになされている。
【０００４】
そしてユーザがディジタルカメラを用いて、メモリカードに記録された画像群のうち所望の画像を見直したい場合には、当該メモリカードから読み出した画像群を順次１枚ずつ全画面として又は複数枚単位のインデックス画面として液晶モニタ上に表示させながら、ユーザが目視確認により検索するようになされている。
【０００５】
【発明が解決しようとする課題】
しかし、このような液晶モニタ上に順次画像を表示させながら所望の画像を検索する方法では、撮影した画像の数が比較的少ない場合には実用上十分に対応することができるが、大容量のメモリカードを使用した場合など、撮影された画像の枚数が非常に多い場合には、ユーザが液晶モニタを目視確認しながら膨大な画像群の中から所望の画像を検索するのは非常に困難であった。
【０００６】
このため実際には、ディジタルカメラから取り出したメモリカードをパーソナルコンピュータに取り込んで、又はディジタルカメラを例えばＵＳＢ（Ｕｎｉｖｅｒｓａｌ  Ｓｅｒｉａｌ  Ｂｕｓ）ケーブル等の通信ケーブルを介して接続するようにして、ディスプレイ画面上に表示される当該メモリカードに対応するディレクトリを用いて、複数のファイルを階層的に管理するようになされたものが多い。
【０００７】
すなわち一般的なパーソナルコンピュータにおいては、メモリカードが装填されると、自動的又はユーザの操作に応じて、ディスプレイ画面上に当該メモリカードに応じたディレクトリを表示させ、続いてユーザの操作に応じて当該ディレクトリが展開されると、当該ディレクトリに含まれる複数のファイルを表示させるようになされている。
【０００８】
ユーザはかかる複数のファイルの中から所望の画像に対応する撮影モードのファイルを検索し、当該ファイルを展開することにより、当該ファイルに割り当てられている複数の画像群の中から所望の画像名を選択することにより、当該画像名に応じた画像をディスプレイ画面上に表示し得るようになされている。
【０００９】
そして、近年では、このようなディレクトリを用いた階層的なファイル管理方法として、例えば、「ポートレート」、「集合写真」、「風景」、「クローズアップ」、「スポーツ」、「自動選択」等のように、撮影する被写体の種類によってディレクトリを分類整理しておき、撮影時におけるユーザの選択的な操作に応じて、又は撮影結果に基づく画像パターン分析によって自動的に、１のディレクトリを選択した後、当該ディレクトリ情報を対応する画像データに付加しておくことにより、再生時において画像の検索及び編集が容易にし得るようになされたものが提案されている。
（例えば、特許文献１参照）。
【００１０】
【特許文献１】
特開平６−７８２６０号公報（第３頁及び第４頁、図３及び図５）
【００１１】
しかし、このように被写体の種類に応じたディレクトリ情報が画像データに付加されて記録されたメモリカードを、パーソナルコンピュータに装填して再生すると、ディスプレイ画面上にはディレクトリが表示されるにすぎず、かかるディレクトリと当該ディレクトリに含まれる画像との関係は、ユーザが自分で設定する必要がある。
【００１２】
その際、ユーザが使用するパーソナルコンピュータ内部に予め所望のアプリケーションソフトがインストールされていれば問題はないが、当該アプリケーションソフトがない場合には、別途購入したり、又はユーザが自分で実行可能なアプリケーションプログラムを作成したりするなど、そのために要する手間及び時間等の負担が大きくなるという問題がある。
【００１３】
本発明は以上の点を考慮してなされたもので、ユーザの使い勝手を一層向上し得る撮像装置及び記録方法を提案しようとするものである。
【００１４】
【課題を解決するための手段】
かかる課題を解決するため本発明においては、被写体を撮影する撮影手段と、予め設定された複数種類の撮影状況のうち、選択された撮影状況に応じてディレクトリを作成するディレクトリ作成手段と、撮影手段の撮影結果として得られる画像データを、選択された撮影状況に応じたディレクトリに割り当てる割当手段と、選択された撮影状況に対応する識別情報を画像データに付加する付加手段と、識別情報が付加された画像データを、指定された少なくとも１以上のアプリケーションに関連付けるように当該アプリケーションを表すアプリケーションプログラムと共に記憶する記憶手段とを設けるようにした。
【００１５】
この結果、この撮像装置による撮影後の記憶手段から記憶内容を再生したとき、当該記憶手段によって記憶されている撮像状況ごとの画像データを表示させるのみならず、必要に応じてアプリケーションプログラムに基づくアプリケーションに撮影状況ごとの画像データを関連付けて表示させることができ、当該アプリケーションを有効に活用することができる。
【００１６】
また本発明においては、予め設定された複数種類の撮影状況のうち、選択された撮影状況に応じてディレクトリを作成する第１のステップと、被写体の撮影結果として得られる画像データを、選択された撮影状況に応じたディレクトリに割り当てる第２のステップと、選択された撮影状況に対応する識別情報を画像データに付加する第３のステップと、識別情報が付加された画像データを、指定された少なくとも１以上のアプリケーションに関連付けるように当該アプリケーションを表すアプリケーションプログラムと共に記憶する第４のステップとを設けるようにした。
【００１７】
この結果この記録方法では、撮影後の記憶内容を再生したとき、当該記憶されている撮像状況ごとの画像データを表示させるのみならず、必要に応じてアプリケーションプログラムに基づくアプリケーションに撮影状況ごとの画像データを関連付けて表示させることができ、当該アプリケーションを有効に活用することができる。
【００１８】
【発明の実施の形態】
以下図面について、本発明の一実施の形態を詳述する。
【００１９】
（１）第１の実施の形態
（１−１）ディジタルカメラの外観構成
図１において、１は全体として本実施の形態によるディジタルカメラを示し、上端に凹部が形成されたケース本体２と、当該ケース本体２の凹部と適合するような略直方体状のカメラ部３とから構成され、当該カメラ部３がケース本体２の凹部内で矢印ａ方向又はこれとは逆方向に回転自在に支持されている。
【００２０】
このケース本体２において、背面部２Ａには、モード切替ダイアル、メニューキー、マルチファンクションの十字キーや電源スイッチ等の複数のスイッチ群からなる操作部４Ａと、撮影内容を表示する液晶モニタ５とが設けられ、上端面には、シャッタボタン４Ｂが設けられている。
【００２１】
またケース本体２の一側面部２Ｂには、矢印ｂ方向又はこれと逆方向に所定の角度範囲でのみ回転可能で回転方向と逆方向に付勢力が働く回転つまみ４ＣＡを有し、かつ当該回転つまみ４ＣＡの先端に回転軸方向に押圧可能な押圧ボタン４ＣＢが取り付けられた操作部（以下、これをスティックダイアルと呼ぶ）４Ｃが突出して設けられている。
【００２２】
またカメラ部３には、一面側に撮影レンズ３Ａ、ビューファインダに対応する表示窓及びフラッシュ等（図示せず）が設けられ、他面側にビューファインダや当該ビューファインダに付随する種々のランプ等（図示せず）が設けられている。
【００２３】
このようにディジタルカメラ１においては、ユーザによってカメラ部３がケース本体２に対して所望角度に位置決めされた後、シャッタボタン４Ｂが操作されると、液晶モニタ５又はビューファインダに表示された被写体を撮影するようになされている。
【００２４】
（１−２）ディジタルカメラの内部構成
図２は、本実施の形態におけるディジタルカメラ１の内部構成を示し、撮像部１０において、投影レンズ１０Ａを介して入射した撮像光をＣＣＤ（Ｃｈａｒｇｅ  Ｃｏｕｐｌｅｄ  Ｄｉｖｉｃｅ  ：電荷結合素子）の撮像面において光電変換することにより撮像信号Ｓ１を得、これを信号処理部１１内のＣＤＳ（Ｃｏｒｒｅｌａｔｅｄ  Ｄｏｕｂｌｅ  Ｓａｍｐｌｉｎｇ：相関２重サンプリング回路）及びＡＧＣ（Ａｕｔｏ  Ｇａｉｎ  Ｃｏｎｔｒｏｌ  ：自動利得制御回路）部（図示せず）に送出する。
【００２５】
このＣＤＳ及びＡＧＣ部は、撮像信号Ｓ１にリセツト雑音が発生する期間においてその信号レベルを所定電位でクランプすることによって雑音成分を低減すると共に、当該撮像信号Ｓ１の振幅を自動的に調整して出力を所定値に制御することによってコントラストの変動を防止する。
【００２６】
続いて信号処理部１１は、撮像信号Ｓ１に対してＹ／Ｃ分離、ガンマ補正及びホワイトバランス調整処理等を施した後、これをマトリクス処理によってビデオ信号Ｓ２に変換し、アナログ／ディジタル変換（Ａ／Ｄ）部１２を介してディジタルビデオ信号Ｓ３に変換する。
【００２７】
これら撮像部１０、信号処理部１１及びＡ／Ｄ変換部１２は、バス１３を介してディジタルカメラ１全体の制御を司るＣＰＵ（Ｃｅｎｔｒａｌ  Ｐｒｏｃｅｓｓｉｎｇ  Ｕｎｉｔ  ）１４と接続され、当該ＣＰＵ１４の制御に基づいて各種動作を実行するようになされている。
【００２８】
またＣＰＵ１４には、動作プログラムや各定数が記憶されているＲＯＭ（ＲｅａｄＯｎｌｙ  Ｍｅｍｏｒｙ）と、プログラムの実行時の作業領域となると共に画像を記録することが可能なＲＡＭ（Ｒａｎｄｏｍ  Ａｃｃｅｓｓ  Ｍｅｍｏｒｙ）とから構成されたシステムメモリ１５と、ディジタルカメラ１の動作に関する各種定数や各種情報を電源遮断時にも記憶し続けることができる不揮発性メモリ１６とがバス１３を介して接続され、これらのメモリ１５、１６に対して各種データを必要に応じて記録再生し得るようになされている。
【００２９】
さらにＣＰＵ１４には、上述した各種キー等からなる操作部４Ａ〜４ＣがＩ／Ｏ（Ｉｎｐｕｔ／Ｏｕｔｐｕｔ）ポート１７及び続くバス１３を介して接続されると共に、メモリカードスロット１８がカードインターフェイス１９及び続くバス１３を介して接続され、さらに例えばＧＰＳ（Ｇｌｏｂａｌ  Ｐｏｓｉｔｉｏｎｉｎｇ  Ｓｙｓｔｅｍ）用のアンテナ２０が送受信回路２１及び続くバス１３を介して接続されており、ユーザによる操作部４Ａ〜４Ｃによる操作内容及びメモリカードＭＣの挿脱に応じた伝達信号や、衛星から受けた電波に基づく位置情報ＤＰを受けるようになされている。
【００３０】
さらにＣＰＵ１４には、撮影時の被写体の光量を補うために発光するストロボ２２の発光を制御するストロボ発光制御部２３がバス１３を介して接続され、ユーザによる撮像部の設定内容に応じて又は撮影環境の明るさを自動的に判断して、ストロボ２２を発光させるための駆動信号Ｓ４をストロボ発光制御部２３に送出するようになされている。
【００３１】
なおＣＰＵ１４は、撮影日時やバッテリ使用時間などを管理するカレンダ時計部２４がバスを介して接続され、常時時間管理を行うようにして、撮影時刻を撮影内容に付加したり、バッテリの残量時間を計算するようになされている。
【００３２】
続いてＣＰＵ１４は、撮像部１０、信号処理部１１及びＡ／Ｄ変換部１２を介して得られたディジタルビデオ信号Ｓ３をデータ圧縮伸長部２５に送出する。データ圧縮伸長部２５は、ＣＰＵ１４の制御下において、通常の被写体確認時（すわなち動画撮影時）には、ディジタルビデオ信号Ｓ３をフレーム単位でフレームメモリ２６に順次書き込むと共に、ディジタル／アナログ（Ｄ／Ａ）変換部２７を介して所定方式（例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式等）のコンポジツト信号Ｓ５に変換した後、これを液晶モニタ５に送出する。これにより液晶モニタ５の表示画面にコンポジツト信号Ｓ４に基づく動画像が表示される。
【００３３】
ここでユーザがシヤツタボタン４Ｂを押圧操作したとき（すなわち静止画撮影時）には、ＣＰＵ１４は、フレームメモリ２６にディジタルビデオ信号Ｓ３を書き込みながら当該ディジタルビデオ信号Ｓ３に基づく複数のフレーム画像の中からシヤツタ時に撮影したフレーム画像を表す画像データＤ１を読み出した後、バス１３を介してデータ圧縮伸長部２５に送出すると共に、フレームメモリ２６及びＤ／Ａ変換部２７を介してコンポジット信号Ｓ５に基づく動画像のうち該当するフレーム画像Ｄ１を液晶モニタ５の表示画面に表示させる。
【００３４】
このデータ圧縮伸長部２５は、フレームメモリ２６から読み出された画像データＤ１に対して例えばＪＰＥＧ（Ｊｏｉｎｔ  Ｐｈｏｔｏｇｒａｐｈｉｃ  Ｅｘｐｅｒｔｓ  Ｇｒｏｕｐｅ  ）規格に基づく圧縮符号化処理を行うことにより、画像情報が圧縮されたフレーム画像を得る。かくして得られた圧縮フレーム画像を表す画像データＤ２は、ＣＰＵ１４の制御に応じて、カードＩ／Ｆ１９を介してメモリカードスロット１８に挿入されているメモリカードＭＣに書き込まれるようになされている。
【００３５】
ここでユーザが操作部４Ａのうちモード切替ダイアルを操作して撮影モードを選択すると、ＣＰＵ１４はオンスクリーンディスプレイ（ＯＳＤ：Ｏｎ  Ｓｃｒｅｅｎ  Ｄｉｓｐｌａｙ  ）部２８に読出指令信号Ｓ６を送出して、当該オンスクリーンディスプレイ部２８に予め記録されている撮影モードの設定メニューを表すメニューバーを読み出させた後、Ｄ／Ａ変換部２７を介して液晶モニタ５上で画像データＤ１に基づくフレーム画像に重畳表示させる。
【００３６】
ユーザの操作により、液晶モニタ５上に表示されたメニューバーの中から「アプリケーション選択」を表すメニューが選択されると、さらに「日記」及び「地図」の２種類のアプリケーション名が下位層として液晶モニタ５上に表示される。
【００３７】
このうちユーザの操作により１のアプリケーション名（例えば「日記」）が選択されると、ＣＰＵ１４は、システムメモリ１５にアプリケーション選択信号Ｓ７を送出して、当該システムメモリ１５に書き込まれている２種類のアプリケーションプログラムのうち選択されたアプリケーションプログラムを表すプログラムデータＤ５が読み出される。
【００３８】
続いてユーザの操作により、液晶モニタ５上に表示されたメニューバーの中から「シーンセレクト機能」を表すメニューがオン状態となるように選択されると、さらに被写体の撮影状況に応じた複数種類のシーン名が、スティックダイアル４Ｃの回転つまみ４ＣＡの回転に応じて巡回しながら１つずつ選択可能な状態となる。
【００３９】
かかる被写体の撮影状況（すなわちシーン名）としては、図３に示すように、例えば「グルメ」、「デート」、「飲み会」、「旅行」、「スポーツ」、「家族」、「自分」及び「Ａｕｔｏ」等があり、ユーザによるスティックダイアル４Ｃの回転つまみ４ＣＡの回転に応じて、各シーン名が対応するマークと共に液晶モニタ５上に順次切り替えて表示される。
【００４０】
その後ユーザによりスティックダイアル４Ｃの押圧ボタン４ＣＡが押圧操作されると、液晶モニタ５上に現在表示されているシーン名及びアイコンに応じた撮影状況が決定され、ＣＰＵ１４は、当該撮影状況に応じた識別情報（以下、これをシチュエーション識別情報と呼ぶ）Ｄ６をシステムメモリ１５から読み出した後、バス１３を介してデータ圧縮伸長部２５に送出する。
【００４１】
データ圧縮伸長部２５は、ＣＰＵ１４の制御に応じて、フレームメモリ２６から読み出したフレーム画像Ｄ１に対してＪＰＥＧ規格に基づく圧縮符号化処理を行う際に、ユーザによって選択されたシチュエーション識別情報Ｄ６と、カレンダ時計部２４から得られた撮影日時を表す時間情報Ｄ７と、システムメモリ１５から読み出した画像フォーマット、画素数、圧縮率、ファイルサイズ及び画像アスペクト比などの画像に対する設定条件を表す画像記録情報Ｄ８とを、フレーム画像における画像データＤ１のヘッダ部分に記録する。
【００４２】
実際に圧縮符号化後の画像データＤ２に基づく圧縮フレーム画像は、ＪＰＥＧ規格に基づくデータフォーマットにおいて標準化されており、階層型符号化方式の場合、１枚の画像における画像データＤ２は、図４（Ａ）〜（Ｄ）に示すように、上位から下位にかけてイメージ階層ＣＬ１（図４（Ａ））、フレーム階層ＣＬ２（図４（Ｂ））、スキャン階層ＣＬ３（図４（Ｃ））及び画像データ階層ＣＬ４（図４（Ｄ））の４階層構造でなり、各層ごとにそれぞれのデータの意味を表すマーカ・コードが定義されている。
【００４３】
例えば可変長符号化の１つであるハフマン符号化に基づくＪＰＥＧ圧縮データ列では、最上位のイメージ階層ＣＬ１（図４（Ａ））は、画像全体の先頭及び最後を表すＳＯＩ（Ｓｔａｒｔ  ｏｆ  Ｉｍａｇｅ）及びＥＯＩ（Ｅｎｄ  ｏｆ  Ｉｍａｇｅ）のマーカ・コードで挟まれており、ＳＯＩマーカ・コードに続いて、アプリケーションで自由に利用可能なＡＰＰ１（Ｒｅｓｅｒｖｅｄ  ｆｏｒ  Ａｐｐｌｉｃａｔｉｏｎ  Ｓｅｇｍｅｎｔｓ  １）マーカ・コードと、ハフマン符号化テーブルの設定を更新するためのＤＨＴ（Ｄｅｆｉｎｅｄ  Ｈｕｆｆｍａｎ  Ｔａｂｌｅ）マーカ・コードと、量子化値テーブルを更新するためのＤＱＴ（Ｄｅｆｉｎｅ  Ｑｕａｎｔｉｚａｔｉｏｎ  Ｔａｂｌｅ）マーカ・コードとが順次記述され、その後に複数のフレームを有するフレーム階層ＣＬ２が記述されている。
【００４４】
このフレーム階層ＣＬ２（図４（Ｂ））は、階層符号化の場合には階層の数だけフレームを含み、各フレームには、先頭を表すＳＯＦ（Ｓｔａｒｔ  ｏｆ  Ｆｒａｍｅ）マーカ・コードと、当該フレームに関する情報が並べられたフレーム・ヘッダとに続いて、複数のスキャンを有するスキャン画像層ＣＬ３が順次記述されている。
【００４５】
このスキャン画像層ＣＬ３（図４（Ｃ））は、先頭を表すＳＯＳ（Ｓｔａｒｔ  ｏｆ  Ｓｃａｎ）マーカ・コードと、当該スキャンに関する情報が並べられたスキャン・ヘッダとに続いて、複数のＥＣＳ（Ｅｎｔｒｏｐｙ  Ｃｏｄｅｄ  Ｓｅｇｍｅｎｔ）マーカ・コードを有する画像データ階層ＣＬ４が順次記述されている。画像データ階層ＣＬ４（図４（Ｄ））は、各ＥＣＳマーカ・コードごとに、符号化が行われる最小単位であるＭＣＵ（Ｍｉｎｉｍｕｍ  Ｃｏｄｅｄ  Ｕｎｉｔ）が複数記述されている。
【００４６】
このように実際にデータ圧縮伸長部２５は、フレームメモリ２６から読み出した画像データＤ１に基づくフレーム画像に対してＪＰＥＧ規格に基づく圧縮符号化処理を行う際に、シチュエーション識別情報Ｄ６、時間情報Ｄ７及び画像記録情報Ｄ８を、各フレーム画像ごとに、ＪＰＥＧ規格に基づくデータフォーマットのうちイメージ階層ＣＬ１におけるＡＰＰ１（Ｒｅｓｅｒｖｅｄ  ｆｏｒ  Ａｐｐｌｉｃａｔｉｏｎ  Ｓｅｇｍｅｎｔｓ  １）マーカ・コードに書き込むようになされている。
【００４７】
このようにしてＣＰＵ１４は、ヘッダ部分にシチュエーション識別情報Ｄ６、時間情報Ｄ７及び画像記録情報Ｄ８が記述された画像データＤ２を、撮影状況ごとに撮影枚数分の画像ファイルとしてまとめておき、当該各画像ファイルを、ユーザの選択に応じて与えられたプログラムデータＤ５に基づくアプリケーションプログラムのプログラム内容に関連付けた後、バス１３及びカードＩ／Ｆ１９を順次介してメモリカードスロット１８に装填されているメモリカードＭＣに記録する。
【００４８】
なおこの場合、撮影状況ごとの画像ファイルと、アプリケーションプログラムのプログラム内容とを関連付けるためのプログラムは、当該アプリケーションプログラムに予め含まれており、当該アプリケーションプログラムを実行した際に自動的に画像ファイルがアプリケーションに組み込まれるようになされている。
【００４９】
そしてユーザは、ディジタルカメラ１から取り出したメモリカードＭＣを、例えば所有するパーソナルコンピュータ（図示せず）を用いて再生すると、内蔵されているオペレーティングシステム（ＯＳ：Ｏｐｅｒａｔｉｎｇ  Ｓｙｓｔｅｍ）が起動して、図５に示すように、メモリカードＭＣに対応するディレクトリのアイコンがディスプレイ画面上に表示され（図５のＷ１）、当該ディレクトリを開くと、ディジタルカメラ１に対応するディレクトリのアイコンと、アプリケーションプログラムに対応するアイコン（例えば、日記を表す「フォトダイアリ」）とが表示される。
【００５０】
このディジタルカメラ１に対応するディレクトリを開くと、シチュエーション識別情報の種類（すなわち撮影状況の種類）に応じた数のディレクトリが生成されてディスプレイ画面上に並んで表示される（図５のＷ２）。さらにこれらのディレクトリを任意に開くと、当該各ディレクトリに対応する撮影状況で撮影された画像ファイルが表示され、当該画像ファイルを構成する画像データＤ２に基づく圧縮フレーム画像群が全て表示可能な状態となる。
【００５１】
またユーザがプログラムデータＤ５に基づくアプリケーションプログラムをインストールすると、当該アプリケーションプログラムが実行されて、ディスプレイ画面上に所定のアプリケーション画面が表示されると共に、シーン名に応じた撮影状況（すなわちシチュエーション識別情報Ｄ６）ごとの画像ファイルが当該アプリケーション画面に関連付けられて表示される。
【００５２】
例えばアプリケーションが、図６に示すような日記を表す「フォトダイアリ」の場合、ディスプレイ画面上には、あたかも日記帳を開いたように左右に予定表画面ＦＲ１及びメモ画面ＦＲ２からなるアプリケーション画面ＦＡが表示される。
【００５３】
このアプリケーション画面ＦＡにおいて、左側の予定表画面ＦＲ１は、例えば週単位で各日ごとに午前９時から午後９時までの１２時間を３時間単位で区切ったカレンダ画面であり、３時間単位をひとまとめとして撮影状況（すなわちシチュエーション識別情報Ｄ６）に応じた枠欄（以下、これをシーン表示欄と呼ぶ）Ｍ１〜Ｍ９が撮影日時に合わせて表示されるようになされている。
【００５４】
このシーン表示欄Ｍ１〜Ｍ９は、３時間内で撮影された画像数が複数の場合には、シーン名及び撮影枚数がＧＵＩ（Ｇｒａｐｈｉｃａｌ  Ｕｓｅｒ  Ｉｎｔｅｒｆａｃｅ）表示される（Ｍ１〜Ｍ５）一方、撮影された画像数が１枚の場合のみ当該画像を所定倍率に縮小してなるインデックス画像Ｍ６〜Ｍ９が表示される。
【００５５】
複数枚の画像数であるシーン表示欄Ｍ１〜Ｍ５について、ユーザによるマウス操作がなされると、当該シーン表示欄Ｍ１〜Ｍ５に含まれる全ての画像が所定サイズに縮小されたインデックス画像（図示せず）として一覧表示される。そしてユーザによる選択されたインデックス画像は、元のシーン名及び撮影枚数のみ表示されたシーン表示欄に代えて表示することができるようになされている。
【００５６】
また右側のメモ画面ＦＲ２には、上段にユーザが予定表画面ＦＲ１から選択した１枚のインデックス画像ＩＮが所定サイズに拡大表示されると共に、当該インデックス画像ＩＮの隣にはその画像の撮影日時が表示されるようになされている。そしてインデックス画像ＩＮの下段には、テキスト文書等で文字の入力が可能なメモ欄が表示されている。なおこのアプリケーション画面ＦＡでは、１枚の予定表画面ＦＲ１に対して複数枚のメモ画面ＦＲ２を設定して階層的及び又は選択的に表示し得るようになされている。
【００５７】
（１−３）第１の実施の形態によるメモリカードへの記録処理手順
実際にこのディジタルカメラ１において、ユーザにより電源がオン状態にされると、ＣＰＵ１４は、図７に示す画像データ記録処理手順ＲＴ１をステップＳＰ０から開始し、ステップＳＰ１において、アプリケーションプログラムが選択されるのを待つ。
【００５８】
続いてステップＳＰ２において、ＣＰＵ１４は、システムメモリ１５から選択されたアプリケーションプログラムを表すプログラムデータＤ５を読み出した後、ステップＳＰ３に進んで、ユーザによる操作部４Ｃの操作によって被写体の撮影状況が選択されるのを待つ。
【００５９】
やがてユーザによって被写体の撮影状況が選択されると、ＣＰＵ１４は、ステップＳＰ４に進んで、当該選択された撮影状況に応じたディレクトリを作成した後、ステップＳＰ５に進む。
【００６０】
このステップＳＰ５において、ＣＰＵ１４は、ユーザによって被写体が撮影されたか否かを判断し、肯定結果が得られた場合のみステップＳＰ６に進んで、撮像結果である画像データＤ１のヘッダ部分に、圧縮符号化の際に用いられるデータフォーマットに従って、シチュエーション識別情報Ｄ６、時間情報Ｄ７及び画像記録情報Ｄ８を記述するようにデータ圧縮伸長部２５を制御する。そしてＣＰＵ１４は、ヘッダ部分にシチュエーション識別情報Ｄ６、時間情報Ｄ７及び画像記録情報Ｄ８が記述された画像データＤ２を上述したディレクトリに割り当てて不揮発性メモリ１６に書き込む。
【００６１】
続いて、ＣＰＵ１４は、ステップＳＰ７に進んで、ヘッダ部分に各種情報が記述された画像データＤ２をプログラムデータＤ５に基づくアプリケーションプログラムに関連付けてメモリカードＭＣに記録する。
【００６２】
この後、ＣＰＵ１４は、ステップＳＰ８において、ユーザによって被写体の撮影状況が変更されたか否かを判断し、肯定結果が得られた場合には、再度ステップＳＰ４に戻って、当該変更後の撮影状況に応じたディレクトリを作成した後、ステップＳＰ５〜ＳＰ８の処理を上述と同様に繰り返す。
【００６３】
一方、ステップＳＰ８において否定結果が得られた場合には、このことは現状の撮影状況が維持されていることを表しており、このときＣＰＵ１４は、ステップＳＰ９に進んで、ユーザによって次の撮影がなされたか否かを判断する。
【００６４】
このステップＳＰ９において肯定結果が得られた場合には、当該撮影結果を処理すべく、再度ステップＳＰ６に戻って、撮像結果である画像データＤ１のヘッダ部分に、圧縮符号化の際に用いられるデータフォーマットに従って、シチュエーション識別情報Ｄ６、時間情報Ｄ７及び画像記録情報Ｄ８を記述するようにデータ圧縮伸長部２５を制御した後、ステップＳＰ７以降の処理を上述と同様に繰り返す。
【００６５】
一方、ステップＳＰ９において否定結果が得られた場合には、このことはユーザによってディジタルカメラ１の電源がオフ状態にされたか、又は撮影モードから再生モード等の他のモードに切り替えられたことを表しており、このときＣＰＵ１４は、そのままステップＳＰ１０に進んで当該画像データ記録処理手順ＲＴ１を終了する。
【００６６】
（１−４）第１の実施の形態による動作及び効果
以上の構成において、このディジタルカメラ１では、ユーザによって所望のアプリケーションが選択された後、続いて所望の撮影状況が選択されると、当該撮影状況に応じたディレクトリを作成する。そしてユーザの操作に応じて順次撮影されるごとに撮影結果として得られる画像データＤ１を当該ディレクトリに割り当てる。
【００６７】
やがてユーザによって選択された全ての撮影状況に応じたディレクトリにそれぞれ撮影結果としての画像データＤ１が割り当てられた状態で、各画像データＤ１を圧縮符号化する。その際、各画像データＤ１ごとに、ヘッダ部分に撮影状況を表すシチュエーション識別情報Ｄ６、撮影日時を表す時間情報Ｄ７及び画像に対する設定条件を画像記録情報Ｄ８を所定のデータフォーマットに従って記述する。
【００６８】
この後、ヘッダ部分に当該各種情報が記述された全ての画像データＤ２を、ユーザによって選択されたアプリケーションに応じたアプリケーションプログラムに関連付けてメモリカードＭＣに記録する。
【００６９】
このようにしてユーザは撮影後のメモリカードＭＣに記録された画像データＤ１をパーソナルコンピュータ等に取り込んで再生すると、ディスプレイ画面上にメモリカードＭＣに対応するディレクトリのアイコンが表示され、当該ディレクトリの下位として、ディジタルカメラ１に対応するディレクトリのアイコンと、アプリケーションプログラムに対応するアイコンとが表示される。このうちユーザがディジタルカメラ１に対応するディレクトリを開くと、撮影状況の種類に応じた数のディレクトリが作成されてディスプレイ画面上に並んで表示される。
【００７０】
一方、ユーザがアプリケーションプログラムをインストールすると、当該アプリケーションプログラムが実行されて、ディスプレイ画面上に所定のアプリケーション画面が表示されると共に、撮影状況ごとに画像ファイルが当該アプリケーション画面に関連付けられて表示される。
【００７１】
従ってユーザは、ディスプレイ画面上に表示されたアプリケーション画面を目視しながら、必要に応じて画像ファイルのうち所望の画像を所望の部位に表示させるといった種々の編集作業を行うことにより、撮影状況に応じた画像ファイルをアプリケーション画面に組み込むことができ、この結果、当該アプリケーションを有効に活用することができる。
【００７２】
以上の構成によれば、このディジタルカメラ１では、ユーザによって所望のアプリケーション及び撮影状況が選択された状態で順次撮影がなされると、撮影結果として得られる画像データＤ１を、撮影状況ごとに対応するディレクトリに割り当てると共に、ヘッダ部分にシチュエーション識別情報Ｄ６、時間情報Ｄ７及び画像記録情報Ｄ８を所定のデータフォーマットに従って記述するようにして圧縮符号化した後、当該各種情報が記述された全ての画像データＤ２を、選択されたアプリケーションに応じたアプリケーションプログラムに関連付けてメモリカードＭＣに記録するようにしたことにより、実際にかかる撮影後のメモリカードＭＣをパーソナルコンピュータ等に取り込んで再生したとき、ディスプレイ画面上にメモリカードＭＣに記録されている撮像状況ごとの画像ファイルを表示させるのみならず、必要に応じてアプリケーションプログラムに基づくアプリケーション画面に撮影状況ごとの画像ファイルを関連付けて表示させることができ、かくしてユーザの使い勝手を一層向上させることができる。
【００７３】
（２）第２の実施の形態
第２の実施の形態におけるディジタルカメラ１は、上述した第１の実施の形態におけるディジタルカメラ１と同一構成を有し、メモリカードＭＣへの記録処理方法が異なる以外同様の機能及び作用を行うようになされている。
【００７４】
（２−１）第２の実施の形態によるメモリカードへの記録処理手順
実際にこのディジタルカメラ１において、ユーザにより電源がオン状態にされると、ＣＰＵ１４は、図８に示す記録処理手順ＲＴ２をステップＳＰ１０から開始し、ステップＳＰ１１において、ユーザによる操作部４Ｃの操作によって被写体の撮影状況が選択されるのを待つ。
【００７５】
やがてユーザによって被写体の撮影状況が選択されると、ＣＰＵ１４は、ステップＳＰ１２に進んで、当該選択された撮影状況に応じたディレクトリを作成した後、ステップＳＰ１３に進む。
【００７６】
このステップＳＰ１３において、ＣＰＵ１４は、ユーザによって被写体が撮影されたか否かを判断し、肯定結果が得られた場合のみステップＳＰ１４に進んで、撮像結果である画像データＤ１のヘッダ部分に、圧縮符号化の際に用いられるデータフォーマットに従って、シチュエーション識別情報Ｄ６、時間情報Ｄ７及び画像記録情報Ｄ８を記述するようにデータ圧縮伸長部２５を制御する。そしてＣＰＵ１４は、ヘッダ部分にシチュエーション識別情報Ｄ６、時間情報Ｄ７及び画像記録情報Ｄ８が記述された画像データＤ２を上述したディレクトリに割り当てて不揮発性メモリ１６に書き込む。
【００７７】
この後、ＣＰＵ１４は、ステップＳＰ１５において、ユーザによって被写体の撮影状況が変更されたか否かを判断し、肯定結果が得られた場合には、再度ステップＳＰ１２に戻って、当該変更後の撮影状況に応じたディレクトリを作成した後、ステップＳＰ１３〜ＳＰ１５の処理を上述と同様に繰り返す。
【００７８】
一方、ステップＳＰ１５において否定結果が得られた場合には、このことは現状の撮影状況が維持されていることを表しており、このときＣＰＵ１４は、ステップＳＰ１６に進んで、ユーザによって次の撮影がなされたか否かを判断する。
【００７９】
このステップＳＰ１６において肯定結果が得られた場合には、当該撮影結果を処理すべく、再度ステップＳＰ１４に戻って、撮像結果である画像データＤ１のヘッダ部分に、圧縮符号化の際に用いられるデータフォーマットに従って、シチュエーション識別情報、時刻情報及び画像記録情報を記述するようにデータ圧縮伸長部２５を制御した後、ステップＳＰ１５以降の処理を上述と同様に繰り返す。
【００８０】
一方、ステップＳＰ１６において否定結果が得られた場合には、このことはユーザによってディジタルカメラ１の電源がオフ状態にされたか、又は撮影モードから再生モード等の他のモードに切り替えられたことを表しており、このときＣＰＵ１４は、ステップＳＰ１７に進んで、選択された全ての撮影状況と対応可能なアプリケーションプログラムが少なくとも１つ以上選択されたか否かを判断し、肯定結果が得られた場合のみステップＳＰ１８に進む。
【００８１】
このステップＳＰ１８において、ＣＰＵ１４は、選択された全てのアプリケーションプログラムを表すプログラムデータＤ５をシステムメモリ１５から読み出した後、そのままステップＳＰ１９に進んで、ヘッダ部分に各種情報が記述された画像データＤ２をプログラムデータＤ５に基づくアプリケーションプログラムに関連付けてメモリカードＭＣに記録する。
【００８２】
この後、ＣＰＵ１４は、そのままステップＳＰ２０に進んで当該記録処理手順ＲＴ２を終了する。
【００８３】
（２−２）第２の実施の形態による動作及び効果
以上の構成において、このディジタルカメラでは、ユーザによって所望の撮影状況が選択されると、当該撮影状況をに応じたディレクトリを作成する。そしてユーザの操作に応じて順次撮影されるごとに撮影結果として得られる画像データＤ１を当該ディレクトリに割り当てる。
【００８４】
やがてユーザによって選択された全ての撮影状況に応じたディレクトリにそれぞれ撮影結果としての画像データＤ１が割り当てられた状態で、各画像データＤ１を圧縮符号化する。その際、各画像データＤ１ごとに、ヘッダ部分に撮影状況を表すシチュエーション識別情報Ｄ６、撮影日時を表す時間情報Ｄ７及び画像に対する設定条件を画像記録情報Ｄ８を所定のデータフォーマットに従って記述する。
【００８５】
この後、選択された全ての撮影状況と対応可能なアプリケーションがユーザによって少なくとも１つ以上選択された場合には、当該アプリケーションプログラムに対して、ヘッダ部分に当該各種情報が記述された全ての画像データＤ２を関連付けてメモリカードＭＣに記録する。
【００８６】
このようにしてユーザは撮影後のメモリカードＭＣに記録された画像データＤ２をパーソナルコンピュータ等に取り込んで再生すると、ディスプレイ画面上にメモリカードに対応するディレクトリのアイコンが表示され、当該ディレクトリの下位として、ディジタルカメラ１に対応するディレクトリのアイコンと、選択された全てのアプリケーションプログラムに対応するアイコンとが表示される。このうちユーザがディジタルカメラ１に対応するディレクトリを開くと、撮影状況の種類に応じた数のディレクトリが作成されてディスプレイ画面上に並んで表示される。
【００８７】
一方、ユーザが所望のアプリケーションプログラムをインストールすると、当該アプリケーションプログラムが実行されて、ディスプレイ画面上に所定のアプリケーション画面が表示されると共に、撮影状況ごとに画像ファイルが当該アプリケーション画面に関連付けられて表示される。
【００８８】
従ってユーザは、ディスプレイ画面上に表示されたアプリケーション画面を目視しながら、必要に応じて画像ファイルのうち所望の画像を所望の部位に表示させるといった種々の編集作業を行うことにより、撮影状況に応じた画像ファイルをアプリケーション画面に組み込むことができ、この結果、当該アプリケーションを有効に活用することができる。
【００８９】
またディジタルカメラ１において、少なくとも１以上のアプリケーションを、全ての撮影状況が選択された後で、当該選択された各撮影状況に対応するものを選択対象とするようにしたことにより、撮影状況ごとに割り当てられた画像ファイルが全く関連付けられないアプリケーションが発生するのを未然に防止することができる。この結果、ユーザがパーソナルコンピュータ等を用いてメモリカードを再生したときに、ディスプレイ画面上に全く画像ファイルが関連付けられていないアプリケーションに対応するディレクトリが表示されるのを未然に防止して、当該ディレクトリを画面上から削除する手間を省くことができる。
【００９０】
以上の構成によれば、このディジタルカメラでは、ユーザによって所望の撮影状況が選択された状態で順次撮影がなされると、撮影結果として得られる画像データＤ１を、撮影状況ごとに対応するディレクトリに割り当てると共に、ヘッダ部分にシチュエーション識別情報Ｄ６、時間情報Ｄ７及び画像記録情報Ｄ８を所定のデータフォーマットに従って記述するようにして圧縮符号化した後、当該各種情報が記述された全ての画像データＤ２を、選択された全ての撮影状況と対応可能なアプリケーションのうち選択された少なくとも１つ以上のアプリケーションに応じたアプリケーションプログラムに関連付けてメモリカードＭＣに記録するようにしたことにより、実際にかかる撮影後のメモリカードＭＣをパーソナルコンピュータ等に取り込んで再生したとき、ディスプレイ画面上にメモリカードＭＣに記録されている撮像状況ごとの画像ファイルを表示させるのみならず、必要に応じてアプリケーションプログラムに基づくアプリケーション画面に撮影状況ごとの画像ファイルを関連付けて表示させることができ、かくしてユーザの使い勝手を一層向上させることができる。
【００９１】
（３）他の実施の形態
なお上述の第１及び第２の実施の形態においては、本発明による撮像装置として図１及び図２に示すようなディジタルカメラ１を適用するようにした場合について述べたが、本発明はこれに限らず、この他種々の構成からなる撮像装置に広く適用することができる。
【００９２】
また第１及び第２の実施の形態においては、被写体を撮影する撮像手段を、撮像部１０、信号処理部１１及びＡ／Ｄ変換部１２から構成するようにした場合について述べたが、本発明はこれに限らず、被写体の撮影結果を画像データとして得ることができれば、この他種々の構成からなる撮像手段を適用するようにしても良い。
【００９３】
さらに第１及び第２の実施の形態においては、予め設定された複数種類の撮影状況のうち、選択された撮影状況に応じてディレクトリを作成するディレクトリ作成手段を、ＣＰＵ１４から構成するようにした場合について述べたが、本発明はこれに限らず、撮影状況が新たに選択されるごとにディレクトリを対応して作成することができれば、この他種々の構成からなるディレクトリ作成手段を適用するようにしても良い。
【００９４】
さらに第１及び第２の実施の形態においては、撮影結果として得られる画像データＤ１を、選択された撮影状況に応じたディレクトリに割り当てる割当手段を、ＣＰＵ１４から構成するようにした場合について述べたが、本発明はこれに限らず、この他種々の構成からなる割当手段を適用するようにしても良い。また所望の撮影状況が選択された状態にあるとき、撮影結果として順次得られる画像データＤ１を全て、当該撮影状況に応じたディレクトリに割り当てるようにすれば、撮影状況ごとに複数の画像データＤ１群からなる画像ファイルを作成することができる。
【００９５】
さらに第１及び第２の実施の形態においては、選択された撮影状況に対応するシチュエーション識別情報（識別情報）Ｄ６を画像データＤ１に付加する付加手段を、データ圧縮伸長部２５及びＣＰＵ１４から構成するようにした場合について述べたが、本発明はこれに限らず、この他種々の構成からなる付加手段を適用するようにしても良い。
【００９６】
実際に画像データＤ１をＪＰＥＧ規格に基づくデータフォーマットに従って圧縮符号化するようにした場合について述べたが、これ以外にも、ＴＩＦＦ（Ｔａｇｇｅｄ  Ｉｍａｇｅ  Ｆｉｌｅ  Ｆｏｒｍａｔ）、ＤＣＦ（Ｄｅｓｉｇｎ  Ｒｕｌｅ  ｆｏｒ  Ｃａｍｅｒａ  Ｆｉｌｅ  Ｓｙｓｔｅｍ）、Ｅｘｉｆ（Ｅｘｃｈａｎｇｅａｂｌｅ  Ｉｍａｇｅ  Ｆｉｌｅ  Ｆｏｒｍａｔ）、ＣＩＦＦ（Ｃａｍｅｒａ  Ｉｍａｇｅ  Ｆｉｌｅ  Ｆｏｒｍａｔ）、ＧＩＦ（Ｇｒａｐｈｉｃｓ  Ｉｎｔｅｒｃｈａｎｇｅ  Ｆｏｒｍａｔ）、ＢＭＰ（Ｂｉｔ  Ｍａｐ）、ＰＩＣＴ（Ｑｕｉｃｋ  Ｄｒａｗ  Ｐｉｃｔｕｒｅ  Ｆｏｒｍａｔ）及びＦＰＸ（Ｆｌａｓｈ  Ｐｉｘ）等の種々の画像ファイル形式により画像データＤ１を管理し、必要に応じて圧縮符号化するようにしても良い。
【００９７】
この場合、上述した第１及び第２の実施の形態のように、画像データＤ１を関連付ける対象となるアプリケーションを日記を表す「フォトダイアリ」とした場合において、撮影時刻を表す時間情報Ｄ７と、画像データＤ１に基づく画像に対する設定条件を表す画像記録情報Ｄ８とを、シチュエーション識別情報（識別情報）Ｄ６と共に画像データに付加するようにした場合について述べたが、本発明はこれに限らず、画像データＤ１を関連付ける対象となるアプリケーションの種類に応じて、種々の情報を画像データＤ１に付加するようにしても良い。
【００９８】
例えば、画像データＤ１を関連付ける対象となるアプリケーションが地図を表す「エリアマップ」である場合には、衛星からアンテナ２０（図２）を介して受信した電波に基づいてディジタルカメラ１の撮影場所が緯度及び経度で表された座標位置からなる位置情報ＤＰを生成しておき、当該位置情報ＤＰと、画像データＤ１に基づく画像に対する設定条件を表す画像記録情報Ｄ８とを、シチュエーション識別情報（識別情報）Ｄ６と共に画像データＤ１に付加するようにすれば良い。
【００９９】
具体的には、「エリアマップ」を表すアプリケーション画面として、例えば「世界地図」、「日本地図」、「地方地図」、「都道府県地図」、「市町村地図」及び「市街地図」といった広範囲から狭範囲に至る階層画像をユーザの操作に応じて選択的に表示するようにしておき、各画像ごとに表示範囲内に含まれる全ての撮影場所に対応する位置にそれぞれポイントマークをＧＵＩ表示しておき、ユーザが所望するポイントマークをマウス等の操作により選択すると、当該ポイントマークに対応する画像を所定サイズに縮小されたインデックス画像として地図画像上に重畳表示させるようにすれば良い。このとき地図画像上のポイントマークに複数枚の画像が含まれている場合には、これら全ての画像が所定サイズに縮小されたインデックス画像として一覧表示するようにすれば良い。
【０１００】
さらに第１及び第２の実施の形態においては、シチュエーション識別情報（識別情報）Ｄ６が付加された画像データを、指定された少なくとも１以上のアプリケーションに関連付けるように当該アプリケーションを表すアプリケーションプログラムと共に記憶する記憶手段として、外部から装填可能なメモリカード等の記録媒体を適用するようにした場合について述べたが、本発明はこれに限らず、ディジタルカメラの内部に設けられた不揮発性メモリ１６を適用するようにしても良い。この場合、当該不揮発性メモリ１６に画像データ及びアプリケーションプログラムを一旦記憶しておき、パーソナルコンピュータ等と例えばＵＳＢ（Ｕｎｉｖｅｒｓａｌ  Ｓｅｒｉａｌ  Ｂｕｓ）等のインターフェイスを用いて接続するようにすれば良い。
【０１０１】
さらに第１及び第２の実施の形態においては、複数種類の撮影状況から所望の撮影状況を操作部４Ａ〜４Ｃのうちのスティックダイアル（選択手段）４Ｃを用いて選択するようにし、その際、当該選択動作に同期して順次選択中の撮影状況に応じたマーク及び又はシーン名（文字）を液晶モニタ（表示手段）５に表示するようにした場合について述べたが、本発明はこれに限らず、ユーザが所望する撮影状況を選択中に現在選択されている撮影状況を認識することができれば、この他種々の選択手段及び表示手段に広く適用することができる。
【０１０２】
【発明の効果】
上述のように本発明によれば、被写体を撮影する撮影手段と、予め設定された複数種類の撮影状況のうち、選択された撮影状況に応じてディレクトリを作成するディレクトリ作成手段と、撮影手段の撮影結果として得られる画像データを、選択された撮影状況に応じたディレクトリに割り当てる割当手段と、選択された撮影状況に対応する識別情報を画像データに付加する付加手段と、識別情報が付加された画像データを、指定された少なくとも１以上のアプリケーションに関連付けるように当該アプリケーションを表すアプリケーションプログラムと共に記憶する記憶手段とを設けたことにより、撮影後に記憶手段から記憶内容を再生したとき、当該記憶されている撮像状況ごとの画像データを表示させるのみならず、必要に応じてアプリケーションプログラムに基づくアプリケーションに撮影状況ごとの画像データを関連付けて表示させることで当該アプリケーションを有効に活用することができ、かくしてユーザの使い勝手を一層向上し得る撮像装置を実現できる。
【０１０３】
また本発明によれば、予め設定された複数種類の撮影状況のうち、選択された撮影状況に応じてディレクトリを作成する第１のステップと、被写体の撮影結果として得られる画像データを、選択された撮影状況に応じたディレクトリに割り当てる第２のステップと、選択された撮影状況に対応する識別情報を画像データに付加する第３のステップと、識別情報が付加された画像データを、指定された少なくとも１以上のアプリケーションに関連付けるように当該アプリケーションを表すアプリケーションプログラムと共に記憶する第４のステップとを設けたことにより、撮影後の記憶内容を再生したとき、当該記憶されている撮像状況ごとの画像データを表示させるのみならず、必要に応じてアプリケーションプログラムに基づくアプリケーションに撮影状況ごとの画像データを関連付けて表示させることで当該アプリケーションを有効に活用することができ、かくしてユーザの使い勝手を一層向上し得る記録方法を実現できる。
【図面の簡単な説明】
【図１】本実施の形態によるディジタルカメラの外観構成を示す略線図である。
【図２】本実施の形態によるディジタルカメラの内部構成を示す略線図である。
【図３】撮影状況に応じたシーン名及び対応するマークを示す略線図である。
【図４】画像データのデータフォーマットの説明に供する略線図である。
【図５】ディスプレイ画面上のディレクトリ表示の説明に供する略線的な平面図である。
【図６】画像ファイルが関連付けられたアプリケーション画面の説明に供する略線的な平面図である。
【図７】第１の実施の形態によるメモリカードへの記録処理手順の説明に供するフローチャートである。
【図８】第２の実施の形態によるメモリカードへの記録処理手順の説明に供するフローチャートである。
【符号の説明】
１……ディジタルカメラ、２……ケース本体、３……カメラ部、４Ａ〜４Ｃ……操作部、４Ｂ……シャッタボタン、４Ｃ……スティックダイアル、５……液晶モニタ、１０……撮像部、１１……信号処理部、１４……ＣＰＵ、１５……システムメモリ、１６……不揮発性メモリ、２０……アンテナ、２５……データ圧縮伸長部、２６……フレームメモリ、Ｄ６……シチュエーション識別情報、Ｄ７……時間情報、Ｄ８……画像記録情報、ＲＴ１、ＲＴ２……記録処理手順。
【図１】
2004179881.tif 000003
【図２】
2004179881.tif 000004
【図３】
2004179881.tif 000005
【図４】
2004179881.tif 000006
【図５】
2004179881.tif 000007
【図６】
2004179881.tif 000008
【図７】
2004179881.tif 000009
【図８】
2004179881.tif 000010